(57)【特許請求の範囲】
【請求項１】
発光面部を有し赤外線を前記発光面部の垂直方向であって該発光面部の中心を頂点とした照射角度３０°の円錐状に照射すべくカメラの一側面に設けられた送受信機能部と対向することにより前記カメラで撮影された画像データを含む通信データの送受信を可能とする送受信部と、受信画像データに基づいて印刷画像を記録紙に印刷する印刷手段とを備える印刷装置において、
前記送受信部は発光面を有し、赤外線を前記発光面の垂直方向であって該発光面の中心を頂点とした照射角度３０°の円錐状に照射すべく装置本体上面に設けられると共に、
前記装置本体上面であって前記送受信部から照射される赤外線の照射方向へ前記送受信部から所定距離離れた上面部に、前記カメラの底面を保持すべく前記送受信部側に向かって深くなる傾斜底面と、前記カメラの一側面を保持する傾斜側面を備える載置用凹部を設けた
ことを特徴とする印刷装置。
【請求項２】
前記載置用凹部は、前記カメラが画像再生可能な表示部を前記一側面の背面に備えるものであるとき、該カメラが載置された際に前記表示部が上向き方向に傾くよう該カメラを保持すべく構成されていることを特徴とする請求項１記載の印刷装置。
【発明の詳細な説明】
【０００１】
【発明の属する技術分野】
本発明は、画像データをデジタルカメラから無線受信して印刷する印刷装置に関する。
【０００２】
【従来の技術】
従来より、デジタルカメラが知られている。デジタルカメラは、撮像レンズで捉えて分光した映像を、ＣＣＤ（Charge Coupled Device:個体撮像素子）で走査して、その映像をデジタルデータとして磁気デスク等の記録媒体に記録するものである。また、このようなデジタルカメラやＶＴＲ（Video Tape Recorder)などから映像を取り出して印刷するプリンタも知られている。
【０００３】
このようなプリンタで、デジタルカメラ（以下、単にカメラという）で写した画像あるいはＶＴＲに記録した映像を印刷するときは、通常は、先ずパソコン（パーソナルコンピュータ）にプリンタを接続し、更にこのパソコンにカメラあるいはＶＴＲ等の映像装置を接続して、画像データと印刷指令とをパソコンを介してプリンタに送信してその画像を印刷していた。
【０００４】
しかし、近年、上記のようにパソコンを介さずに直接プリンタと映像装置とを信号ケーブルで接続し、この信号ケーブルで画像データと印刷指令を送受信して印刷を行う簡易な方式のものが実用化され、広く用いられるようになっている。
【０００５】
図７は、そのようなカメラとプリンタを接続した状態を示す外観斜視図である。同図に示すように、カメラ１は、カメラ本体部２とレンズユニット部３から構成されている。カメラ本体部２は、操作機構部分が上面と背面（図７の手前側）に集約され、前面（図７の向こう側）はマークや外装模様の他には何も配置されていない。
【０００６】
カメラ本体部２の背面には、中央に大きくカラーＬＣＤから成るビューファインダ４が配設され、そのビューファインダ４の上方に電源スイッチ５が配設され、右方に動作モードを画像撮影モード（ＲＥ）と画像再生モード（ＰＬ）に切替えるためのモード切換キー６が配置されている。そして、カメラ本体部２の上面には、シャッターボタン９、撮影記録済みの映像を順次呼び出して見るための「＋」キー１１、及び現在見ている画像の前の画像に戻すための「−」キー１２が配設され、その近傍の前面寄りに通信端子１３が配設されている。通信端子１３には通信ケーブル１４の一端に設けられたプラグが差し込まれる。
【０００７】
レンズユニット部３は、同図(a) では向こう側になっているため見えないが、前面にレンズを備えている。このレンズユニット部３は、カメラ本体部２に対して回動可能に設けられ、同図の矢印Ａ方向には９０°に回動し、同図の矢印Ｂ方向には１８０°回動する。矢印Ｂ方向に１８０°回動してレンズが背面を向き、レンズ位置が逆さになると、このレンズの姿勢が内部回路で検出され、撮影中の映像が自動的に正立画像に修正されて画面表示される。
【０００８】
一方、プリンタ１５は、本体部の前面（同図の手前側）に記録紙Ｐを挿入する挿入口と印刷済みの記録紙Ｐを排出する排出口とを兼ねる用紙挿入兼排出口１６を備えている。このプリンタ１５の上面前方は、やや手前に傾斜して操作パネル１７が形成され、この操作パネル１７上に押しボタン型の７個の操作キー１８（「−」キー１８ａ、「＋」キー１８ｂ、「ＳＥＴ」キー１８ｃ、「ＰＯＷＥＲ」キー１８ｄ、「ＥＡＳＹ」キー１８ｅ、「ＭＥＮＵ」キー１８ｆ、「ＢＡＣＫ」キー１８ｇ）、及び通信端子１９が配設されている。通信端子１９には、上述の通信ケーブル１４の他端に設けられたプラグが差し込まれる。
【０００９】
上記の図７に示すシステムは、カメラ１のビューファインダ４がパソコンのデスプレイに該当し、プリンタ１５の操作キー１８がパソコンのキーボードに該当する。そしてカメラ１の画像記憶部から任意の画像を呼び出して表示させ、適宜に編集して、その編集した画像をプリンタ１５で印刷するという方式である。
【００１０】
ところで、更に近年、操作性に優れているものとして、上記のような通信ケーブルを用いずに、赤外線通信を用いるものが市場に登場してきた。この赤外線通信は、ＩｒＤＡ（Infared Data Association：赤外線データ通信の標準化を行った団体、転じてその方式または装置）によるものが多い。このＩｒＤＡは、例えば、テレビジョン受像機をリモコン（リモートコマンダー）により遠隔制御（遠隔操作）する場合の赤外線信号の送受信にも用いられている。ＩｒＤＡはこのような赤外線信号を用いて通信を行う場合の仕様について規定している。その規格は２通りあって、一つは、２４００ビット／秒乃至１１５．２ｋ／秒の伝送速度の規格であり、他は、４Ｍビット／秒までの全ての伝送速度を含む規格となっている。いずれの方式においても、赤外線信号の出射角度は±１５度として規定されている。
【００１１】
これによれば、カメラをプリンタの近くに持って行き、カメラの赤外線出力ポートから画像データを出力しさえすれば、その画像データをプリンタ側の赤外線入力ポートで受け取って印刷を行うため、通信ケーブルで接続する面倒がなく、全体として操作が容易であるという利点が喧伝されている。
【００１２】
【発明が解決しようとする課題】
しかしながら、この場合でも、カメラを手に持ったままであると、手ブレによって、赤外線通信がＩｒＤＡで規定されている通信範囲から外れてしまい、再度通信し直すなどの面倒が発生し易い。特に画像データの場合はデータ容量が大きいからデータの送受信に時間が掛かる。したがって、カメラとプリンタの手に依らない位置合わせが必要であり、この作業はなかなか面倒である。
【００１３】
例えば、手ブレを防ぐためにカメラを適宜な台上に載置しようにも、赤外線通信を行うとする都度タイミングよく適宜な台など容易に見つかるものでもなく、止むを得ず不安定な所になんとか位置決めすると、カメラが転倒したりする。そして、やり直しを繰り返して、やっと通信を完了する。これでは通信操作が遅れて、赤外線通信の便利さが失われてしまうという問題が発生する。また、このときカメラが落下などすると取り返しのつかない支障が発生する虞もある。
【００１４】
本発明の課題は、上記従来の実情に鑑み、カメラ側からのデータ無線送信が容易な印刷装置を提供することである。
【００１５】
【課題を解決するための手段】
以下に、本発明の印刷装置の構成を述べる。
本発明の印刷装置は、発光面部を有し赤外線を上記発光面部の垂直方向であって該発光面部の中心を頂点とした照射角度３０°の円錐状に照射すべくカメラの一側面に設けられた送受信機能部と対向することにより上記カメラで撮影された画像データを含む通信データの送受信を可能とする送受信部と、受信画像データに基づいて印刷画像を記録紙に印刷する印刷手段とを備える印刷装置において、上記送受信部は発光面を有し、赤外線を上記発光面の垂直方向であって該発光面の中心を頂点とした照射角度３０°の円錐状に照射すべく装置本体上面に設けられると共に、上記装置本体上面であって上記送受信部から照射される赤外線の照射方向へ上記送受信部から所定距離離れた上面部に、上記カメラの底面を保持すべく上記送受信部側に向かって深くなる傾斜底面と、上記カメラの一側面を保持する傾斜側面を備える載置用凹部を設けて構成される。
【００１７】
また、上記載置用凹部は、例えば請求項２記載のように、上記カメラが画像再生可能な表示部を上記一側面の背面に備えるものであるとき、該カメラが載置された際に上記表示部が上向き方向に傾くよう該カメラを保持すべく構成されている。
【００１８】
【発明の実施の形態】
以下、本発明の実施の形態を図面を参照しながら説明する。
図１は、一実施の形態における印刷装置と、その印刷装置の受け台（カメラ載置部）に載置されたカメラ（デジタルスチルカメラ）との合体状態を示す斜視図である。
【００１９】
図２(a) は、上記印刷装置とその受け台に載置されたカメラとが合体した状態の平面図を模式的に示しており、同図(b) は、そのＡ−Ａ′断面矢視図を模式的に示している。尚、図２(a),(b) は印刷装置から用紙カセットを脱抜した状態で示している。また、同図(b) の側断面図には印刷装置及びカメラ共に内部の構成は図示を殆ど省略しているが、この内部構成についてはブロック図によって後述する。
【００２０】
図１及び図２(a),(b) に示すように、印刷装置２０は、本体部２１の上面の後方（図１の斜め右上方向、図２の右方）に送受信部２２を備え、上面の最前部にはやや手前に傾斜して操作パネル２３が形成されている。この操作パネル２３のすぐ後方に受け台２４が形成されている。
【００２１】
更に本体部２１の前面には（図１参照）、記録紙を収納した用紙カセット２５の挿入口２６と、印刷済みの記録紙を排出する排出口２７とを兼ねる用紙挿入兼排出口を備えている。上記用紙カセット２５の上面２８は、引き出し自在な補助トレイ２９と共に排紙トレイ部を形成している。
【００２２】
上記の送受信部２２は、ＩｒＤＡに対応する送受信を行うことが可能なように構成されている。すなわち、送受信部２２は、図２(a),(b) に示すように、その発光面の中心に対して垂直な線ａに対し末広がり状に±１５度の広がりを持つ円錐状の照射角度（図２(a) の一点鎖線ｂ、ｂ′及び同図(b) の二点鎖線ｃ、ｃ′参照）が設定されている。これにより、図２(b) に示すように、角度θ＝３０度の広がりを有する円錐状の照射領域が送受信部２２より前方に展開している。
【００２３】
この印刷装置２０の上述した受け台２４に、カメラ３０がその表示部３１を手前（図１の斜め左手前、図２の左方）に向けて載置される。受け台２４には、上記のようにカメラ３０が載置されたとき、カメラ３０の表示部３１がやや上向きに傾むくように、傾斜が形成されている。一方、これとは反対に、カメラの前方（図２(a),(b) の右方）に配設されている送受信機能部３２がやや下向きに傾いて全体が配置される。
【００２４】
このカメラ３０の送受信機能部３２も、ＩｒＤＡに対応する送受信を行うことが可能なように構成されている。すなわち、その発光面の中心に対して垂直な線ｃに対し末広がり状に±１５度の広がりを持つ円錐状の照射角度（図２(a) の一点鎖線ｄ、ｄ′及び同図(b) の二点鎖線ｅ、ｅ′参照）が設定されている。これにより、図２(b) に示すように角度δ＝３０度の広がりを有する円錐状の照射領域が、やや下向きに傾いている送受信機能部３２より前方（図の右方）に展開している。
【００２５】
これにより、図１及び図２(a),(b) に示すように、印刷装置２０の受け台２４にカメラ３０が載置されたとき、一方では、カメラ３０の送受信機能部３２からの通信データ放射角度３０度の領域内に印刷装置２０の送受信部２２が位置して配置され、他方では、印刷装置２０の送受信部２２からの通信データ放射角度３０度の領域内にカメラ３０の送受信機能部３２が位置して配置される。
【００２６】
図３は、上記印刷装置２０の操作パネル２３の外観平面図である。同図により、操作パネル２３に設けられた各キーの機能について説明する。操作パネル２３には、右端上部にこの印刷装置２０の電源をオン／オフする電源キー（パワーキー）３３が設けられ、その下方に簡単・機能切り換えボタン３４が設けられている。そして、それらより左方に、入力装置であるキー操作／表示部３５と、更にその左方にＬＣＤ表示部３６が配設されている。一方のＬＣＤ表示部３６は、例えば３２×９６のドットマトリクスＬＣＤ装置から成る。他方のキー操作／表示部３５は、照光型のシート型キー操作／表示装置から成り、必要に応じて各キー及び表示部が裏面から１色又は２色のＬＥＤ発光素子で照光されるようになっている。
【００２７】
この照光シート型のキー操作／表示部３５は、印刷形態メニュー表示部３７並びにプレビューキー３８、「−」キー３９、「＋」キー４１、設定キー４２、決定キー４３、選択キー４４及び戻りキー４５を備えている。
【００２８】
上記の簡単・機能切り換えボタン３４は、ＬＣＤ表示部３６の初期画面の表示中に、これを押下すると、フォーマットの選択には関係なく「簡単印刷モード」に切り換えるキーである。この「簡単印刷モード」は、カメラ３０の表示部３１に表示される撮影済みの再生画像をそのまま印刷する処理モードである。
【００２９】
プレビューキー３８は、表示部３１に表示する画像を初期画面に戻す機能を備えている。したがって、その初期画面の表示中は、押下操作は無効である。戻りキー４５は、表示部３１に表示されている画面の１つ前の画面に戻す機能を有している。また、「−」キー３９及び「＋」キー４１は、表示部３１に表示されるフォーマットの選択や表示画像のページの切り替えなどを行う。尚、「＋」キー４１は例えば正方向送りであり、「−」キー３９は逆方向送りである。また、設定キー４２は確定キーであり、選択処理中にこの設定キー４２を押下することで表示部３１に選択表示されているフォーマットやページが確定する。
【００３０】
そして、選択キー４４は、上記の簡単・機能切り換えボタン３４によって機能印刷モードが選択されたとき、印刷形態メニュー表示部３７に表示された中から所望の印刷形態を選択するためのボタンであり、これを押下するごとに、印刷形態メニュー表示部３７に照光表示される機能印刷モードが「インデックス」→「レイアウト」→「ミニラベル」→「カレンダー」→「ポストカード」→「インデックス」と循環しながら選択される。この選択の確定も上記の設定キー４２で行う。決定キー４３は、上記のように全ての選択と設定が確定した後に、印刷を実行する場合に押下されるキーである。
【００３１】
図４は、カメラ３０の正面図を示し、図５は、その斜め後方からの斜視図を示している。これらの図４及び図５に示すように、カメラ３０は、本体部４６とカメラ部４７からなる。
【００３２】
本体部４６のケース４８の前面（図４参照）には、左方（図５に示す背面から見ると右方の右手で把持する部分）にグリップ部４９が形成され、反対側（図４の右方）に上述した送受信機能部３２が配設されている。ケース４８の上記グリップ部４９が形成されている下面には、電池蓋５１が配設されている。この電池蓋５１が開閉されて、上記のグリツプ部４９の内部に形成されている電池収納部（電池室）に４本の電池が交換自在に収納される。
【００３３】
また、ケース４８の上面（図５参照）には、全面に渡って、前方寄りに、右側からシャッターボタン５２、デリートキー５３、及び開閉蓋５４が配設され、後方寄りに、右側からプラスキー５５、マイナスキー５６、モードキー５７、ディスプレーキー５８、ズームキー５９、及びセルフタイマーキー６１が配設されている。上記の開開蓋５４内には、特には図示しないが、外部電源端子、ビデオ出力端子、デジタル端子等が備えられている。
【００３４】
そして、ケース４８の背面（図５参照）には、ＬＣＤ装置からなる前述した表示部３１が配設されており、その右横にファンクション切替キー６２、右上に電源スイッチ６３が配設されている。また、ケース４８の下面には、図では見えないが三脚用穴が備えられている。
【００３５】
一方、カメラ部４７は、略下半分にグリップ部６４が形成され、前面（図４参照）上方に撮像レンズ６５が配設されている。このカメラ部４７の上記撮像レンズ６５が配設されている側面にピント切替スイッチ６６が配置されている。このカメラ部４７は、図５に示すように、本体部４６に対して撮影者による左手操作側の側面に配置されており、本体部４６に対して前方に９０°後方に１８０°の回動が可能なように、図４に示す回動接合部６７を介して組み付けられている。
このカメラ部４７が後方に１８０°回動して撮像レンズ６５が背面を向くと、レンズ位置が逆さになるが、この撮像レンズ６５の姿勢が内部回路で検出され、撮影中の映像が自動的に正立画像に修正されて画面表示される。
【００３６】
図６は、上述した外観構成を有するカメラ３０の回路ブロック図と、同じく印刷装置２０の回路ブロック図を示している。同図に示すカメラ３０の回路ブロック図において、ＣＣＤ（電荷結合素子）７１は、映像信号をアナログ電気信号に変換して出力する撮像素子であり、不図示のレンズを介して入力する画像を撮り込む。駆動回路（ドライバ７２）はＣＣＤ７１を駆動する回路であり、タイミング・ジェネレータ７０から出力されるタイミング信号に従ってＣＣＤ７１を駆動する。
【００３７】
アナログ・デジタル変換回路（以下、Ａ／Ｄ変換器という）７４は、ＣＣＤ７１からアンプ７３を介して出力されるアナログ信号をデジタル信号に変換する回路であり、ＣＣＤ７１の出力をデジタル画像信号に変換する。また、ＤＲＡＭ７５は、変換されたデジタル画像信号を一時的に記憶する。圧縮／伸長部７６は、上述のデジタル画像信号を符号化処理により圧縮する。
【００３８】
尚、圧縮／伸長部７６は上述とは逆に、デジタル画像信号に対して復号化処理を施し、データの伸張処理も行う。また、画像メモリ７７は圧縮／伸長部７６で圧縮したデジタル画像信号を多数画面記憶するメモリであり、例えばフラッシュメモリで構成する。
【００３９】
ビデオ信号発生部８２は、デジタル画像信号に同期信号等を付加してデジタルビデオ信号を生成する。ＶＲＡＭ８３は、デジタルビデオ信号を記憶するメモリである。デジタル・アナログ変換回路（以下、Ｄ／Ａ変換器という）８４は、ビデオ信号発生部８２から出力されたデジタルビデオ信号をアナログビデオ信号に変換し、表示手段であるカラーＬＣＤ（液晶表示器）８５に出力する回路である。カラーＬＣＤ８５は、Ｄ／Ａ変換器８４から増幅器８６を介して入力されるアナログビデオ信号に基づいて液晶を駆動して写真画像を表示する。
【００４０】
ＣＧ（キャラクタジェネレータ）８７は、画像メモリ７７の画像データをカラーＬＣＤ８５に表示させるための数値データやカーソル・データ等を格納する。
ＲＯＭ７８はカメラ８０を駆動制御するプログラムを記憶し、このプログラムをＣＰＵ８０に出力する。ＣＰＵ８０はＲＯＭ７８に記憶するプログラムに基づいて動作し、カメラ８０を制御する。
【００４１】
ＲＡＭ７９はＣＰＵ８０の制御処理の際、演算処理の中間データ等を一時的に記憶するメモリである。ＣＰＵ８０は上述のように、ＲＯＭ７８に記憶するプログラムに基づいて動作し、ＲＡＭ７９のワークエリアを使用し、キー入力部８１から入力するキー操作信号に従って各部を制御する。
【００４２】
尚、このキー入力部８１は、前述のカメラ３０に配置された各種の入力キー５２、５３、５５〜６２等が対応する。また、Ｉ／Ｏポート８８は、シリアル信号に変換された画像信号等を入出力制御するインターフェースである。前述したように、このカメラ３０にはＩｒＤＡの通信機能部３２が配設されており、キー入力部８１からのキー入力により、Ｉ／Ｏポート８８から通信機能部３２に入出力制御を切り換えることができる。
【００４３】
ここで、上述の構成のカメラ３０の動作を簡単に説明すると、先ず映像取り込みキー（シャッターボタン５２）を繰作し、タイミング・ジェネレータ７０からタイミング信号を出力し、ＣＣＤ７１によって外部の映像を撮像し、ＣＣＤ７１に取り込む。ＣＣＤ７１に取り込まれた画像データは、前述のようにデジタル画像信号としてＤＲＡＭ７５に記憶され、このデータに対して輝度信号と色信号の生成処理を施し、画像信号から輝度信号と色信号を作成する。この輝度信号と色信号を圧縮／伸張部７６に転送し、輝度信号と色信号をデータ圧縮し、画像メモリ７７に記憶する。
【００４４】
次に、画像メモリ７７に記憶した画像データを再生する際には、再生キー（ディスプレーキー５８）を操作し、画像メモリ７７から上述の圧縮画像信号（圧縮輝度信号と色信号）を読み出し、圧縮／伸張部７６に転送する。そして、この圧縮／伸長部７６で伸長された輝度信号と色信号から成るデジタル画像信号はビデオ信号発生部８２に転送され、ビデオ信号発生部８２によってデジタル画像信号に同期信号を付加したデジタルビデオ信号が生成され、一旦この信号をＶＲＡＭ８３に書き込み、その書き込んだデジタルビデオ信号をＤ／Ａ変換器８４及び増幅器８６を介してカラーＬＣＤ８５に出力し、カラーＬＣＤ８５に表示する。
【００４５】
次に、図６に示す印刷装置２０の構成を説明する。印刷装置２０は、ＣＰＵ９０及びＣＰＵ９０にバス９９を介して接続された画像メモリ９１、伸長部９２、選択部９３、キー入力部９４、Ｉ／Ｏポート９５、ＲＯＭ９６、カラープリンタ部９７、表示部３６、ＲＡＭ９８等で構成されている。
【００４６】
上記のキー入力部９４は、印刷装置２０の図３に示した操作パネル２３のキー操作／表示部３５に配設された各種の入力キー３８〜４５等が対応する。また、表示部３６には、ここではキー操作／表示部３５の印刷形態メニュー表示部３７も含まれている。
【００４７】
上記Ｉ／Ｏポート４５は、シリアル通信機能を有する回路からなり、一般的にはワンチップＣＰＵのＬＳＩに内蔵され、外部とのデータの送受信を行う。そして、この場合も、キー入力部９４からのキー入力により、Ｉ／Ｏポート４５からＩｒＤＡの送受信部２２（図１及び図２も参照）に入出力制御を切り換えることができる。
【００４８】
上記のＲＯＭ９６は、ＣＰＵ９０による例えば通信処理、印刷データ作成処理、印刷処理、カレンダ作成処理等の動作プログラムを格納したプログラム領域と、例えば圧縮表示データ、圧縮背景データ、ＣＧ等の実画像データ、及びレイアウト、ミニラベル、ポストカード等の各種プリンタ操作用画像の圧縮データを格納した画像データ領域とを備えている。尚、上述の各プリンタ操作用画像は、それぞれ複数のフォーマット選択画面を有している。
【００４９】
選択部９３は、表示部３６に表示する上述の印刷形態メニュー表示に基づいてキー操作／表示部３５の各キーが操作されることにより、このキー操作／表示部３５から入力するキー操作信号に基づいてＲＯＭ９６内の各プログラム、又はプリンタ操作用画像を選択し、さらに対応する各フォーマット画像を選択する。
【００５０】
画像メモリ９１は、カメラ３０の画像メモリ７７から読み出されて転送される輝度信号と色信号からなる圧縮画像データを一旦格納するメモリである。伸長部９２は、ＭＰＥＧ等の公知の画像伸長機能を有し、例えばＲＯＭ９６に記憶する背景画像や、選択されたフォーマット画像に対応する実画像を伸長し、また、カメラ３０から読み出される写真画像を伸長処理する。すなわち、ＲＯＭ９６に記憶する実画像や、カメラ３０から出力される写真画像が圧縮データの形態で記憶され、また転送される為、印刷画像を作成する際所定の大きさに拡大する必要があるからである。
【００５１】
ＲＡＭ９８は、ＣＰＵ９０が行う演算処理用のワーク領域、画像メモリ９１に記憶される画像データが伸長部９２で伸長処理された後にＲＯＭ９６の印刷データ作成処理プログラムに従って作成されるイエロー（Ｙ）、マゼンダ（Ｍ）、シアン（Ｃ）の各色の印刷データを記憶する印刷データ記憶領域、これら印刷データとそれを装飾する背景データ等の装飾データを合成処理する画像合成処理領域、ＣＰＵ９０により設定されるデータの記憶領域等を備えている。
【００５２】
カラープリンタ部９７は、プリンタエンジン部であり、特には図示しないが、ＤＣモータ及びステッピングモータ等を駆動するモータドライバ、印字ヘッド、各種センサが接続されている。センサは、光学式センサや機械式接点型センサ等からなり、印字ヘッドの位置や挿入される用紙Ｐの検出を行う。これにより印字ヘッドが用紙にフルカラーの印刷を行う。
【００５３】
このように、印刷装置２０とカメラ３０とが連携して行う撮影画像の印刷が、印刷装置２０の送受信部２２と、カメラ３０の送受信機能部３２とによる無線通信によって行われる。
【００５４】
尚、上述した実施の形態においては、カメラと印刷装置が一つの無線通信システムとして互いの機能を相互に受け渡しできるように予め構成されていることを想定して説明しているが、この印刷装置２０は、受け台に載置されるカメラの構成が上述したものと多少異なっていても、ＩｒＤＡ規格の赤外線入力出力ポートを有するカメラでさえあれば対応できるように設計されている。例えば、受け台２４の傾斜を任意に変更できるようにすると共に、その左右の幅を充分に広くして、カメラを左右いずれにも片寄らせて載置できるようにして、カメラの送受信機能部の通信データ放射角度の領域が印刷装置の送受信部の通信データ放射角度の領域と最小限の重なりを形成できるように構成されている。
【００５５】
【発明の効果】
以上詳細に説明したように、本発明によれば、印刷装置の受け台にカメラを置くだけで無線送受信状態の位置決めを設定することができるので、カメラを手に持って送受信を行う必要がなく、したがって、データ量の多い画像データでも安定した状態で容易に送受信することができる。
【００５６】
また、同様に印刷装置の受け台にカメラを置くだけで無線送受信状態の位置決めを設定することができるので、送受信のための位置合わせに手間取ることがなくなり、したがって、苛々した不快感を生じることのない使い勝手の良いカメラと印刷装置との無線通信システムを構築することができる。
【００５７】
また、印刷装置のカメラ設置台にカメラを置くだけでカメラの表示部が斜め上を向くようにカメラが傾くので、カメラの表示部を見ながら印刷装置のキー操作部からの指示入力がし易く、したがって、この点でもカメラと印刷装置との使い勝手のよい無線通信システムを構築することができる。
【図面の簡単な説明】
【図１】一実施の形態における印刷装置とその印刷装置の受け台（カメラ載置部）に載置されたカメラ（デジタルスチルカメラ）との合体状態を示す斜視図である。
【図２】  (a) は印刷装置とその受け台に載置されたカメラとが合体した状態の平面図を模式的に示す図、(b) はそのＡ−Ａ′断面矢視図を模式的に示す図である。
【図３】印刷装置の操作パネルの外観平面図である。
【図４】印刷装置に載置されるカメラの正面図である。
【図５】図４のカメラを斜め後方から見た斜視図である。
【図６】一実施の形態におけるカメラの制御回路及び印刷装置の制御回路を示すブロック構成図である。
【図７】従来のカメラとプリンタを接続した状態を示す外観斜視図である。
【符号の説明】
１    カメラ
２    カメラ本体部
３    レンズユニット部
４    ビューファインダ
５    電源スイッチ
６    モード切換キー
９    シャッターボタン
１１  「＋」キー
１２  「−」キー
１３  通信端子
１４  通信ケーブル
１５  プリンタ
Ｐ    記録紙
１６  用紙挿入兼排出口
１７  操作パネル
１８  操作キー
１８ａ  「−」キー
１８ｂ  「＋」キー
１８ｃ  「ＳＥＴ」キー
１８ｄ  「ＰＯＷＥＲ」キー
１８ｅ  「ＥＡＳＹ」キー
１８ｆ  「ＭＥＮＵ」キー
１８ｇ  「ＢＡＣＫ」キー
１９  通信端子
２０  印刷装置
２１  本体部
２２  送受信部
２３  操作パネル
２４  受け台（カメラ載置部）
２５  用紙カセット
２６  カセット挿入口
２７  用紙排出口
２８  用紙カセット上面
２９  補助トレイ
３０  カメラ（デジタルスチルカメラ）
３１  表示部
３２  送受信機能部
３３  電源キー（パワーキー）
３４  簡単・機能切り換えボタン
３５  キー操作／表示部
３６  ＬＣＤ表示部
３７  印刷形態メニュー表示部
３８  プレビューキー
３９  「−」キー
４１  「＋」キー
４２  設定キー
４３  決定キー
４４  選択キー
４５  戻りキー
４６  本体部
４７  カメラ部
４８  ケース
４９  グリップ部
５１  電池蓋
５２  シャッターボタン
５３  デリートキー
５４  開閉蓋
５５  プラスキー
５６  マイナスキー
５７  モードキー
５８  ディスプレーキー
５９  ズームキー
６１  セルフタイマーキー
６２  ファンクション切替キー
６３  電源スイッチ
６４  グリップ部
６５  撮像レンズ
６６  ピント切替スイッチ
６７  回動接合部
７０  タイミング・ジェネレータ
７１  ＣＣＤ
７２  ドライバ
７３  アンプ
７４  Ａ／Ｄ変換器
７５  ＤＲＡＭ
７６  圧縮／伸長部
７７  映像メモリ
７８  ＲＯＭ
７９  ＲＡＭ
８０  ＣＰＵ
８１  キー入力部
８２  ビデオ信号発生部
８３  ＶＲＡＭ
８４  Ｄ／Ａ変換器
８５  カラーＬＣＤ（液晶表示装置）
８６  アンプ
８７  ＣＧ
８８  Ｉ／Ｏポート
９０  ＣＰＵ
９１  画像メモリ
９２  伸長部
９３  選択部
９４  キー入力部
９５  Ｉ／Ｏポート
９６  ＲＯＭ
９７  カラープリンタ部
９８  ＲＡＭ
９９  バス
【図１】
0003945034.tif 000002
【図２】
0003945034.tif 000003
【図３】
0003945034.tif 000004
【図４】
0003945034.tif 000005
【図５】
0003945034.tif 000006
【図６】
0003945034.tif 000007
【図７】
0003945034.tif 000008